Podtech/llm-jp-corpus-v4-ja_patent huggingface dataset:
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
光源と、
前記光源から光を照射された被検体より発生する音響波を検出しアナログ信号に変換する受信素子を含む検出器と、
前記アナログ信号をデジタル信号に変換する変換器と、
光が照射されたときの被検体内の光量分布を表わす情報を格納するメモリと、
前記被検体内の光量分布を表わす情報を用いて、前記デジタル信号を補正する信号処理部と、
前記補正されたデジタル信号を用いて被検体情報の画像データを形成する画像処理部と、
を有し、
前記信号処理部は、前記被検体内の各位置に照射される光量の大きさに応じて前記デジタル信号の補正を行うことを特徴とする被検体情報取得装置。
【請求項２】
前記信号処理部は、前記被検体内の各位置に照射される光量の差を低減するように、前記デジタル信号を補正することを特徴とする請求項１に記載の被検体情報取得装置。
【請求項３】
前記信号処理部は、前記被検体内の光量分布を算出する演算部を有する
ことを特徴とする請求項１又は２に記載の被検体情報取得装置。
【請求項４】
前記演算部は、被検体の光学特性値および形状を用いて、前記被検体内の光量分布を算出する
ことを特徴とする請求項３に記載の被検体情報取得装置。
【請求項５】
前記演算部は、前記デジタル信号を解析することにより、前記被検体の光学特性値を得る
ことを特徴とする請求項４に記載の被検体情報取得装置。
【請求項６】
前記信号処理部は、前記被検体内の光量分布に基づいて、前記検出器の受信素子の受信面から垂直な方向に、被検体の深さと光量の関係を示す光量分布プロファイルを作成し、当該光量分布プロファイルを用いて前記受信素子に対応するデジタル信号を補正する
ことを特徴とする請求項１ないし５のいずれか１項に記載の被検体情報取得装置。
【請求項７】
前記信号処理部は、前記検出器の受信素子の中心から所定の角度の範囲にある被検体の部位の光量分布に基づいて、前記光量分布プロファイルを作成する
ことを特徴とする請求項６に記載の被検体情報取得装置。
【請求項８】
光を照射された被検体より発生する音響波を検出しアナログ信号に変換する工程と、
前記アナログ信号をデジタル信号に変換する工程と、
光が照射されたときの被検体内の光量分布を表わす情報を用いて前記デジタル信号を補正する工程と、
前記補正されたデジタル信号を用いて被検体情報の画像データを形成する工程と、
を有する被検体情報取得方法であって、
前記デジタル信号を補正する工程では、前記被検体内の各位置に照射される光量の大きさに応じて前記デジタル信号の補正を行うことを特徴とする被検体情報取得方法。
【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
画像から、泡を表す円形状領域を構成する点の候補である候補点を抽出する候補点抽出手段と、
前記候補点が有する情報に基づいて、前記画像内の円形状領域を検出する円形状領域検出手段と、
を備えることを特徴とする画像処理装置。
【請求項２】
前記円形状領域検出手段は、
前記候補点抽出手段により抽出された候補点の内から、円形状領域の推定に用いられる複数の推定用候補点を抽出する推定用候補点抽出手段と、
前記推定用候補点抽出手段により抽出された前記複数の推定用候補点に基づいて、円形状領域を推定する円形状推定手段と、
前記円形状領域が有する情報に基づいて、当該円形状領域が前記画像内に実在するか否かを判定するための評価値を算出する評価値算出手段と、
前記評価値に基づいて、前記円形状領域が前記画像内に実在するか否かの判定を行う判定手段と、
を備えることを特徴とする請求項１に記載の画像処理装置。
【請求項３】
前記判定手段により前記画像内に実在すると判定された円形状領域に関する情報を記憶する記憶手段をさらに備え、
前記推定用候補点抽出手段は、前記記憶手段に記憶された円形状領域よりも外側の領域から前記複数の推定用候補点を抽出することを特徴とする請求項２に記載の画像処理装置。
【請求項４】
前記推定用候補点抽出手段は、前記円形状領域の大きさを推定する円形状領域サイズ推定手段を有することを特徴とする請求項２に記載の画像処理装置。
【請求項５】
前記円形状領域サイズ推定手段は、前記画像に含まれる各画素の画素値に基づいて、前記画像に映された被写体の奥行きを表す距離情報を算出し、該距離情報に基づいて前記円形状領域の大きさを推定することを特徴とする請求項４に記載の画像処理装置。
【請求項６】
前記評価値算出手段は、
前記円形状領域の周縁部に含まれる境界領域を抽出する境界領域抽出手段と、
前記境界領域に含まれる画素に関する情報を取得する境界領域情報算出手段と、
を備えることを特徴とする請求項２に記載の画像処理装置。
【請求項７】
前記境界領域情報算出手段は、前記境界領域に含まれる画素における画素値の勾配強度の平均値を算出することを特徴とする請求項６に記載の画像処理装置。
【請求項８】
前記境界領域情報算出手段は、前記境界領域に含まれるエッジ画素の個数をカウントすることを特徴とする請求項６に記載の画像処理装置。
【請求項９】
前記境界領域情報算出手段は、前記境界領域に含まれる画素の輝度値の平均値を算出することを特徴とする請求項６に記載の画像処理装置。
【請求項１０】
前記境界領域情報算出手段は、前記境界領域に含まれる画素の色情報を取得することを特徴とする請求項６に記載の画像処理装置。
【請求項１１】
前記境界領域情報算出手段は、前記境界領域に含まれるエッジ画素の形状を表す情報を算出することを特徴とする請求項６に記載の画像処理装置。
【請求項１２】
前記境界領域情報算出手段は、前記エッジ画素の連続性を表す評価値を算出することを特徴とする請求項１１に記載の画像処理装置。
【請求項１３】
前記境界領域情報算出手段は、前記境界領域において隣接するエッジ画素が存在するエッジ画素の数をカウントすることを特徴とする請求項１２に記載の画像処理装置。
【請求項１４】
前記境界領域情報算出手段は、前記境界領域に含まれるエッジ画素の前記円形状領域の中心座標についての相対性を表す評価値を算出することを特徴とする請求項１１に記載の画像処理装置。
【請求項１５】
前記境界領域情報算出手段は、前記境界領域において、前記円形状領域の中心座標に対して相対する位置に別のエッジ画素が存在するエッジ画素の数をカウントすることを特徴とする請求項１４に記載の画像処理装置。
【請求項１６】
前記境界領域情報算出手段は、前記境界領域に含まれるエッジ画素の円形性を表す評価値を算出することを特徴とする請求項１１に記載の画像処理装置。
【請求項１７】
前記境界領域情報算出手段は、前記円形状領域の円周と前記境界領域に含まれるエッジ画素との間の距離を算出することを特徴とする請求項１６に記載の画像処理装置。
【請求項１８】
前記円形状領域検出手段は、
前記候補点を、円の半径と円の中心座標とからなるパラメータ空間に投票する投票手段と、
前記パラメータ空間における投票頻度に基づいて円形状領域を検出するための評価値を算出する投票評価値算出手段と、
を備え、
前記投票手段は、前記パラメータ空間に投票される前記候補点に与えられる重みを、該候補点が有する情報に基づいて決定する重み決定手段を備えることを特徴とする請求項１に記載の画像処理装置。
【請求項１９】
前記重み決定手段は、前記候補点における画素値の勾配強度に基づいて前記重みを決定することを特徴とする請求項１８に記載の画像処理装置。
【請求項２０】
前記重み決定手段は、前記候補点における画素の輝度値に基づいて前記重みを決定することを特徴とする請求項１８に記載の画像処理装置。
【請求項２１】
前記重み決定手段は、前記候補点における画素が有する色情報に基づいて前記重みを決定することを特徴とする請求項１８に記載の画像処理装置。
【請求項２２】
前記円形状領域検出手段は、
前記候補点を、円の半径と円の中心座標とからなるパラメータ空間に投票する投票手段と、
前記パラメータ空間における投票頻度に基づいて円形状領域を検出するための評価値を算出する投票評価値算出手段と、
を備え、
前記投票手段は、前記パラメータ空間の範囲を決定するパラメータ空間範囲決定手段を備え、
前記パラメータ空間範囲決定手段は、
前記画像に映された被写体の奥行きを表す距離情報を算出する距離情報算出手段と、
前記距離情報に基づいて、検出対象とする円形状領域の大きさを推定する円形状領域サイズ推定手段と、
を備えることを特徴とする請求項１に記載の画像処理装置。
【請求項２３】
候補点抽出手段により、画像から、泡を表す円形状領域を構成する点の候補である候補点を抽出する候補点抽出ステップと、
円形状領域検出手段により、前記候補点が有する情報に基づいて、前記画像内の円形状領域を検出する円形状領域検出ステップと、
を含むことを特徴とする画像処理方法。
【請求項２４】
候補点抽出手段により、画像から、泡を表す円形状領域を構成する点の候補である候補点を抽出する候補点抽出ステップと、
円形状領域検出手段により、前記候補点が有する情報に基づいて、前記画像内の円形状領域を検出する円形状領域検出ステップと、
をコンピュータに実行させることを特徴とする画像処理プログラム。
【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
患者の脳内に刺激電流を誘導するための導線部を有する治療用磁気コイルユニットであって、
前記導線部を嵌め込むことにより当該導線部が所定の形状となるように形成された構造部を有するコイルケースを備えたことを特徴とする、治療用磁気コイルユニット。
【請求項２】
前記コイルケースは、前記所定の形状に形成された導線部であるコイル本体により分割される分割構造を有することを特徴とする、請求項１に記載の治療用磁気コイルユニット。
【請求項３】
前記構造部は、溝部であることを特徴とする、請求項２に記載の治療用磁気コイルユニット。
【請求項４】
前記構造部は、前記導線部を、渦巻導線部に形成することを特徴とする、請求項１から３の何れか一に記載の治療用磁気コイルユニット。
【請求項５】
前記構造部は、２個の前記渦巻導線部を形成し、それぞれの前記渦巻導線部は、一方の渦巻導線部の巻線の渦中心が他方の渦巻導線部の巻線の渦中心へ近付く方向に偏心させて構成されていることを特徴とする、請求項４に記載の治療用磁気コイルユニット。
【請求項６】
前記１組の渦巻導線部について、一方の渦巻導線部の一部が他方の渦巻導線部の一部と互いに略並行をなして重なり合うように形成されている、ことを特徴とする請求項４または５に記載の治療用磁気コイルユニット。
【請求項７】
前記１組の渦巻導線部について、一方の渦巻導線部の外周部が他方の渦巻導線部の巻線の渦中心あるいはその付近に至るまで重なり合っている、ことを特徴とする請求項６に記載の治療用磁気コイルユニット。
【請求項８】
前記１組の渦巻導線部が、所定の角度を挟んで山形をなすように傾斜している、ことを特徴とする請求項５から７の何れか一に記載の治療用磁気コイルユニット。
【請求項９】
前記導線部は、断面形状が四角形である導線によって巻き上げられていることを特徴とする、請求項１から８の何れか一に記載の治療用磁気コイルユニット。
【請求項１０】
前記導線部は、複数の金属線を寄り合わせて構成した導線を用いて巻き上げられていることを特徴とする、請求項１から９の何れか一に記載の治療用磁気コイルユニット。
【請求項１１】
前記導線部は、患者頭部の表面形状に沿うよう曲面を形成してなることを特徴とする、請求項1から１０の何れか一に記載の治療用磁気コイルユニット。
【請求項１２】
前記曲面は、球面の一部で形成されたことを特徴とする、請求項１１に記載の治療用磁気コイルユニット。
【請求項１３】
複数の渦巻導線部で構成された、磁界を生成する磁気コイルであって、
少なくとも１組の渦巻導線部について、一方の渦巻導線部の巻線の渦中心が他方の渦巻導線部の巻線の渦中心へ近付く方向に偏心させて構成され、且つ、一方の渦巻導線部の一部が他方の渦巻導線部の一部と互いに略並行をなして重なり合っている、ことを特徴とする磁気コイル。
【請求項１４】
前記１組の渦巻導線部について、一方の渦巻導線部の外周部が他方の渦巻導線部の巻線の渦中心あるいはその付近に至るまで重なり合っている、ことを特徴とする請求項１３に記載の磁気コイル。
【請求項１５】
前記１組の渦巻導線部が、所定の角度を挟んで山形をなすように傾斜している、ことを
特徴とする請求項１３または１４に記載の磁気コイル。
【請求項１６】
第１の渦巻導線部と第２の渦巻導線部を備えた磁気コイルであって、
前記第１の渦巻導線部と前記第２の渦巻導線部はそれぞれ、外形中心に対して渦中心が偏心した状態で導線を巻いて構成されており、
前記第１の渦巻導線部と前記第２の渦巻導線部は、前記第１の渦巻導線部と前記第２の渦巻導線部の一部が重なり、かつ、前記第１の渦巻導線部の渦中心と前記第２の渦巻導線部の渦中心を前記第１の渦巻導線部の外形中心と前記第２の渦巻導線部の外形中心との間に位置させて、並列に配置されている、ことを特徴とする磁気コイル。
【請求項１７】
前記第１の渦巻導線部の外形中心と前記第２の渦巻導線部の外形中心を結ぶ中心線上に前記第１の渦巻導線部の渦中心と前記第２の渦巻導線部の渦中心が位置している、ことを特徴とする請求項１６の磁気コイル。
【請求項１８】
請求項１から１２の何れか一に記載の治療用磁気コイルユニット、または、請求項１３から１７の何れか一に記載の磁気コイルを備えたことを特徴とする、経頭蓋磁気刺激装置。
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
せん断変位波形の相関を向上させるための方法であって、
複数の標的部位の初期位置を検出するために１つまたは複数の基準パルス複数の標的部位に送達するステップと、
複数のプッシングパルスセグメントを含むパルスシーケンスを１つまたは複数の押圧箇所を送達するステップであって、前記パルスシーケンスが所望の波形を近似し、前記所望の波形を近似する少なくとも１つのせん断変位波形を生成するように該複数のプッシングパルスセグメントに対応する１つまたは複数のパラメータは所望の波形を有する少なくとも１つのせん断変位波形を生成するように適応させ、前記少なくとも１つのせん断変位波形を生成することが、正弦波形、三角波形、方形波形、ｓｉｎｃ波形、またはこれらの組み合わせを生成することを含む、前記送達ステップと、
複数の標的部位の少なくとも１つの部分組の変位を時間の関数として検出するために複数の標的部位に１つまたは複数のトラッキングパルスを送達するステップであって、該変位はせん断変位波形の時間サンプルである送達ステップと、
複数の標的部位の部分組内の少なくとも異なる２つの標的部位で検出されたせん断変位波形間のシフトを決定するステップと、
決定された前記シフトに基づいて、前記複数の標的部位の材料特性を推定するステップと、
処理ユニットが前記基準パルス、前記プッシングパルスセグメント及び、前記トラッキングパルスの制御とタイミングとを提供するステップと、
を含む方法。
【請求項２】
前記複数のプッシングパルスセグメントに対応する１つまたは複数のパラメータは、振幅、周波数、パルス長、波形、またはこれらの組み合わせを含む、請求項１に記載の方法。
【請求項３】
所望の波形を有するせん断変位波形を生成する前記ステップは、デルタ関数でコンボリューショしたディジタルコード、デルタ関数でコンボリューショしたマルチレベルコード、正弦波形、方形波形、ｓｉｎｃ波形、またはこれらを組み合わせたものを含む波形を生成することを含む、請求項１または２に記載の方法。
【請求項４】
せん断変位波形間のシフトを決定する前記ステップは、相互相関技法、絶対値差総和技法、ゼロ交差技法、またはこれらの組み合わせによって達成されている、請求項１乃至３のいずれかに記載の方法。
【請求項５】
少なくとも異なる２つの標的部位で検出されたせん断波変位波形間の前記決定したシフトに基づいてせん断速度を推定するステップをさらに含む請求項１乃至４のいずれかに記載の方法。
【請求項６】
少なくとも異なる２つの標的部位で検出されたせん断変位波形間の前記決定したシフトに基づいて標的部位のうちの複数部位に対応するせん断弾性係数、粘性、またはこれらの組み合わせを推定するステップをさらに含む請求項１乃至５のいずれかに記載の方法。
【請求項７】
前記変位を検出するステップは、スペックルトラッキング、絶対値差総和、反復位相ゼロ化技法、直接歪み推定、相互相関、自己相関、またはこれらの組み合わせを用いてある決定された時間期間にわたって複数の標的部位の少なくとも１つの部分組の変位を検出するステップを含む、請求項１乃至６のいずれかに記載の方法。
【請求項８】
複数のパルスを含むパルスシーケンスを複数の標的部位（１０２）に送達するトランスジューサアレイ（１０６）であって、該複数のパルスは、１つまたは複数の基準パルスと、複数の標的部位（１０２）に送達される１つまたは複数のトラッキングパルスと、１つまたは複数の押圧箇所に複数のプッシングパルスセグメントとして送達される少なくとも１つのプッシングパルスと、を含んでいるトランスジューサアレイ（１０６）と、
前記トランスジューサアレイ（１０６）と通信可能に結合されたパルス成形ユニット（１２０）であって、前記パルスシーケンスが所望の波形を近似するように、複数のプッシングパルスセグメントに対応する１つまたは複数のパラメータを適用して前記所望の波形を有する少なくとも１つのせん断変位波形を生成しているパルス成形ユニット（１２０）と、
前記パルス成形ユニット（１２０）と前記トランスジューサアレイ（１０６）のうちの少なくとも一方と通信可能に結合された処理ユニット（１１４）であって、
前記パルス成形ユニット（１２０）に対して所望の波形を有するせん断変位波形の生成を可能にさせるように複数のプッシングパルスセグメントに対応して１つまたは複数のパラメータを適応させること、
せん断変位波形の時間サンプルであるような複数の標的部位（１０２）の変位を決定するために、複数のプッシングパルスセグメントに応答して複数の標的部位（１０２）の少なくとも１つの部分組から受け取ったデータを処理すること、
複数の標的部位（１０２）の部分組内の少なくとも異なる２つの標的部位（１０２）において検出されたせん断変位波形間のシフトを決定すること、
を行っている処理ユニット（１１４）と、
を備える超音波システム（１００）。
【請求項９】
前記複数の標的部位（１０２）の前記少なくとも１つの部分組に対応する画像を表示する表示装置を備える請求項８に記載の超音波システム（１００）。
【請求項１０】
せん断変位波形の相関を向上させるための実行可能プログラムをその上に有する非一時的コンピュータ読み取り可能記憶媒体であって、該プログラムは処理ユニットに対して、
複数の標的部位（１０２）の初期位置を検出するために複数の標的部位（１０２）に１つまたは複数の基準パルスを送達すること、
複数のプッシングパルスセグメントを含むパルスシーケンスを１つまたは複数の押圧箇所に送達することであって、前記パルスシーケンスが所望の波形を近似するように、前記所望の波形を有する少なくとも１つのせん断変位波形を生成するように複数のプッシングパルスセグメントに対応する１つまたは複数のパラメータを適応させている送達と、
せん断変位波形の時間サンプルであるような複数の標的部位（１０２）の少なくとも１つの部分組の変位を時間の関数として検出するために１つまたは複数の標的部位（１０２）に１つまたは複数のトラッキングパルスを送達すること、
複数の標的部位（１０２）の部分組の少なくとも異なる２つの標的部位（１０２）において検出されたせん断変位波形間のシフトを決定すること、
を行うように指令している、非一時的コンピュータ読み取り可能記憶媒体。
【手続補正書】
【提出日】平成25年12月16日(2013.12.16)
【手続補正１】
【補正対象書類名】明細書
【補正対象項目名】発明の名称
【補正方法】変更
【補正の内容】
【発明の名称】シート処理装置及び画像形成システム
【手続補正２】
【補正対象書類名】明細書
【補正対象項目名】０００１
【補正方法】変更
【補正の内容】
【０００１】
本発明は、シートに穿孔処理を行うシート処理装置及びシート処理装置を備えた画像形成システムに関する。
【手続補正３】
【補正対象書類名】明細書
【補正対象項目名】０００７
【補正方法】変更
【補正の内容】
【０００７】
本発明は、高い生産性を実現することができるシート処理装置及びシート処理装置を備えた画像形成システムを提供することを目的とする。
【手続補正４】
【補正対象書類名】明細書
【補正対象項目名】０００８
【補正方法】変更
【補正の内容】
【０００８】
本発明に係るシート処理装置は、シートを搬送する搬送手段と、前記搬送手段により搬送されるシートが停止した状態において前記シートに穿孔処理を行う穿孔手段と、前記穿孔手段を駆動する駆動手段と、前記搬送手段によって連続して搬送されるシートの間隔が第１の間隔である時の前記駆動手段の駆動速度が、前記第１の間隔よりも狭い第２の間隔のときの前記駆動手段の駆動速度よりも遅くなるように、前記駆動手段の駆動を制御する制御手段と、を有することを特徴とする。
【手続補正５】
【補正対象書類名】特許請求の範囲
【補正対象項目名】全文
【補正方法】変更
【補正の内容】
【特許請求の範囲】
【請求項１】
シートを搬送する搬送手段と、
前記搬送手段により搬送されるシートが停止した状態において前記シートに穿孔処理を行う穿孔手段と、
前記穿孔手段を駆動する駆動手段と、
前記搬送手段によって連続して搬送されるシートの間隔が第１の間隔である時の前記駆動手段の駆動速度が、前記第１の間隔よりも狭い第２の間隔のときの前記駆動手段の駆動速度よりも遅くなるように、前記駆動手段の駆動を制御する制御手段と、
を有することを特徴とするシート処理装置。
【請求項２】
前記穿孔手段は、前記駆動手段によって往復移動する移動部材と、前記移動部材が往復移動する方向に直交する方向で前記シートが搬送される搬送路に突出して前記シートに穿孔を行うポンチと、を有し、
前記穿孔手段が前記シートに穿孔する穴数を取得する取得手段を更に有し、
前記制御手段は、前記取得手段により取得された穴数が第１の値であるときの前記駆動手段の駆動速度が、前記穴数が前記第１の値よりも多い第２の値であるときの前記駆動手段の駆動速度よりも遅くなるように、前記駆動手段を制御することを特徴とする請求項１記載のシート処理装置。
【請求項３】
前記制御手段は、前記取得手段により取得された穴数が第１の値であるときの前記駆動手段の駆動開始タイミングが、前記穴数が前記第２の値であるときの前記駆動手段の駆動開始タイミングよりも遅くなるように、前記駆動手段を制御することを特徴とする請求項２記載のシート処理装置。
【請求項４】
前記制御手段は、前記取得手段により取得された穴数が第１の値であるときの前記シートへの穿孔処理後に前記ポンチが前記シートの搬送路から退避して停止するまでの移動距離が、前記穴数が前記第２の値であるときの前記移動距離よりも短くなるように、前記駆動手段の駆動を制御することを特徴とする請求項２又は３に記載のシート処理装置。
【請求項５】
シートに画像形成する画像形成装置と、前記画像形成装置から排出されるシートに対して穿孔処理を行う請求項１乃至４の何れか１項に記載のシート処理装置とを有することを特徴とする画像形成システム。
【手続補正書】
【提出日】平成25年11月22日(2013.11.22)
【手続補正１】
【補正対象書類名】特許請求の範囲
【補正対象項目名】全文
【補正方法】変更
【補正の内容】
【特許請求の範囲】
【請求項１】
第１方向に沿ってそれぞれ延びる複数の溝が前記第１方向に直交する第２方向に沿って配列されたブレーズ型回折格子を製造する方法であって、
前記第２方向における第１の位置で第１切刃および第２切刃を有するバイトと被加工物とを相対的に前記第１方向に移動させることにより前記被加工物を切削して、前記第１切刃および前記第２切刃によってそれぞれ形成された第１面および第２面を有する第１の溝を形成する第１工程と、
前記第１工程の後に、前記第１の位置から前記第２方向に沿って格子ピッチだけ離れた第２の位置で前記バイトと前記被加工物とを相対的に前記第１方向に移動させることにより前記被加工物を切削して、第２の溝を形成する第２工程と、
前記第２工程の後に、前記第１の位置と前記第２の位置との間の第３の位置で、前記第２切刃を前記第１の溝の前記第２面と接触させずに前記バイトと前記被加工物とを相対的に前記第１方向に移動させることにより前記第１面を切削して、前記第１切刃によってブレーズ面を形成する第３工程と、
を含む、ことを特徴とする方法。
【請求項２】
前記ブレーズ面および前記第２面で形成される溝の開き角は、９０度未満である、ことを特徴とする請求項１に記載の方法。
【請求項３】
第１方向に沿ってそれぞれ延びる複数の溝が前記第１方向に直交する第２方向に沿って配列された、ブレーズ型回折格子を製造するための型を製造する方法であって、
前記第２方向における第１の位置で第１切刃および第２切刃を有するバイトと被加工物とを相対的に前記第１方向に移動させることにより前記被加工物を切削して、前記第１切刃および前記第２切刃によってそれぞれ形成された第１面および第２面を有する第１の溝を形成する第１工程と、
前記第１工程の後に、前記第１の位置から前記第２方向に沿って格子ピッチだけ離れた第２の位置で前記バイトと前記被加工物とを相対的に前記第１方向に移動させることにより前記被加工物を切削して、第２の溝を形成する第２工程と、
前記第２工程の後に、前記第１の位置と前記第２の位置との間の第３の位置で、前記第２切刃を前記第１の溝の前記第２面と接触させずに前記バイトと前記被加工物とを相対的に前記第１方向に移動させることにより前記第１面を切削して、前記第１切刃によって前記ブレーズ型回折格子のブレーズ面に対応する面を形成する第３工程と、
を含む、ことを特徴とする方法。
【請求項４】
被加工物に、互いに平行な複数のブレーズ面および互いに平行な複数のカウンタ面を形成して、回折格子を製造する方法であって、
前記被加工物における第１の位置に、第１ブレーズ面を形成する第１工程と、
切削加工を行い、前記被加工物における第２の位置に、前記第１ブレーズ面に平行な第２ブレーズ面を形成する第２工程と、
前記第１の位置と前記第２の位置との間に、前記第１ブレーズ面に平行な面およびカウンタ面を形成する第３工程と、
を含み、
前記第２工程は、前記第１工程の後かつ前記第工程の後に行われ、前記第３工程で形成された前記第１ブレーズ面に平行な面の一部分を切削する、ことを特徴とする方法。
【請求項５】
前記第１工程では、切削加工を行うことによって、前記第１ブレーズ面を形成し、
前記第３工程では、切削加工を行うことによって、前記カウンタ面を形成し、
前記第１工程は、前記第３工程の後に行われ、前記第３工程で形成された前記カウンタ面の一部分を切削する、ことを特徴とする請求項４に記載の方法。
【請求項６】
被加工物に、互いに平行な複数のブレーズ面に対応する面および互いに平行な複数のカウンタ面に対応する面を形成して、回折格子を製造するための型を製造する方法であって、
前記被加工物における第１の位置に、前記回折格子の第１ブレーズ面に対応する面を形成する第１工程と、
切削加工を行い、前記被加工物における第２の位置に、前記回折格子の前記第１ブレーズ面に対応する面に平行な前記回折格子の第２ブレーズ面に対応する面を形成する第２工程と、
前記第１の位置と前記第２の位置との間に、前記回折格子の前記第１ブレーズ面に対応する面に平行な面および前記回折格子のカウンタ面に対応する面を形成する第３工程と、
を含み、
前記第２工程は、前記第１工程の後かつ前記第３工程の後に行われ、前記第３工程で形成された前記回折格子の前記第１ブレーズ面に対応する面に平行な面の一部分を切削する、ことを特徴とする方法。
【手続補正２】
【補正対象書類名】明細書
【補正対象項目名】０００７
【補正方法】変更
【補正の内容】
【０００７】
本発明の１つの側面は、第１方向に沿ってそれぞれ延びる複数の溝が前記第１方向に直交する第２方向に沿って配列されたブレーズ型回折格子を製造する方法であって、前記第２方向における第１の位置で第１切刃および第２切刃を有するバイトと被加工物とを相対的に前記第１方向に移動させることにより前記被加工物を切削して、前記第１切刃および前記第２切刃によってそれぞれ形成された第１面および第２面を有する第１の溝を形成する第１工程と、前記第１工程の後に、前記第１の位置から前記第２方向に沿って格子ピッチだけ離れた第２の位置で前記バイトと前記被加工物とを相対的に前記第１方向に移動させることにより前記被加工物を切削して、第２の溝を形成する第２工程と、前記第２工程の後に、前記第１の位置と前記第２の位置との間の第３の位置で、前記第２切刃を前記第１の溝の前記第２面と接触させずに前記バイトと前記被加工物とを相対的に前記第１方向に移動させることにより前記第１面を切削して、前記第１切刃によってブレーズ面を形成する第３工程と、を含むことを特徴とする。
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
連結部を回動する関節を有するロボットアームの制御方法であって、
前記関節または前記連結部によって第１の物体を移動することを特徴とするロボットアームの制御方法。
【請求項２】
前記ロボットアームはハンド部を有し、
前記関節または前記連結部によって前記第1の物体を移動することを特徴とする、請求項１に記載のロボットアームの制御方法。
【請求項３】
前記関節または前記連結部によって前記第１の物体を移動した後、前記ハンド部が第２の物体を把持して移動することを特徴とする、請求項２に記載のロボットアームの制御方法。
【請求項４】
前記ハンド部が第２の物体を把持した後、前記関節または前記連結部によって前記第１の物体を移動することを特徴とする、請求項２に記載のロボットアームの制御方法。
【請求項５】
前記ハンド部と接触して前記物体を移動するタスクと、前記関節または前記連結部と接触して前記物体を移動するタスクと、を評価し、前記評価の結果に基づいて、いずれのタスクを実行するかを決定することを特徴とする、請求項２ないし４のいずれか一項に記載のロボットアームの制御方法。
【請求項６】
前記タスクの実行時間をロボットアームの動作シミュレーションによって算出し、前記実行時間に基づいて、いずれのタスクを実行するかを決定することを特徴とする、請求項５に記載のロボットアームの制御方法。
【請求項７】
前記ロボットアームは、複数の関節を有し、
前記動作シミュレーションは複数の前記関節を移動する前記実行時間を算出し、各前記タスクにおいて前記関節を移動する前記実行時間のうち最も長く時間のかかる前記実行時間を比較して、いずれのタスクを実行するかを決定することを特徴とする、請求項６に記載のロボットアームの制御方法。
【請求項８】
連結部と、
前記連結部を回動する関節と、を備え、
前記連結部または前記関節によって物体を移動することを特徴とする、ロボットアーム。
【請求項９】
ハンド部と、を備え、
前記連結部または前記関節によって前記物体を移動することを特徴とする、請求項８に記載のロボットアーム。
【請求項１０】
前記関節または前記連結部に設けられ、前記物体と接触する接触部と、を備え、
前記接触部に前記物体を接触させることにより、前記物体を移動することを特徴とする、請求項８又は請求項９に記載のロボットアーム。
【請求項１１】
前記接触部は、前記物体の動きを規制するガイド部材を備えることを特徴とする、請求項１０に記載のロボットアーム。
【請求項１２】
前記接触部には前記ガイド部材の角度を変化させる駆動部が設けられていることを特徴とする、請求項１１に記載のロボットアーム。
【請求項１３】
連結部と、
前記連結部を回動する関節と、を備え、
前記連結部または前記関節によって物体を移動することを特徴とする、ロボット。
【請求項１４】
ハンド部と、を備え、
前記連結部または前記関節によって前記物体を移動することを特徴とする、請求項１３に記載のロボット。
【請求項１５】
前記関節または前記連結部に設けられ、前記物体と接触する接触部と、を備え、
前記接触部に前記物体を接触させることにより、前記物体を移動することを特徴とする、請求項１３又は請求項１４に記載のロボット。
【請求項１６】
前記接触部は、前記物体の動きを規制するガイド部材を備えることを特徴とする、請求項１５に記載のロボット。
【請求項１７】
前記接触部には前記ガイド部材の角度を変化させる駆動部が設けられていることを特徴とする、請求項１６に記載のロボット。
【手続補正２】
【補正対象書類名】明細書
【補正対象項目名】発明の名称
【補正方法】変更
【補正の内容】
【発明の名称】ロボットアーム、ロボットアームの制御方法及びロボット
【手続補正３】
【補正対象書類名】明細書
【補正対象項目名】００１３
【補正方法】変更
【補正の内容】
【００１３】
［適用例３］上記適用例に記載のロボットアームの制御方法は、前記ハンド部で第２の物体を把持しつつ、前記関節または前記連結部を作用点として、第１の物体を移動することが好ましい。
【手続補正４】
【補正対象書類名】明細書
【補正対象項目名】００１４
【補正方法】変更
【補正の内容】
【００１４】
本適用例によれば、ハンド部で第２の物体を把持しつつ、関節または連結部を作用点として、第２の物体を移動する。これにより、第２の物体の移動を中断することなく、第１の物体を移動させることができる。ハンド部で第２の物体を把持しているときに、第１の物体を移動させる必要があることがある。このとき、ハンド部にて第１の物体を移動する方法がある。まず、把持していた第２の物体をハンド部から解放する。次に、ハンド部が第１の物体のある場所へ移動し第１の物体を把持する。続いてハンド部が第１の物体を移動し、第１の物体を解放する。次に、ハンド部が第２の物体のある場所へ移動し第２の物体を把持する。
【手続補正書】
【提出日】平成25年12月12日(2013.12.12)
【手続補正１】
【補正対象書類名】明細書
【補正対象項目名】００２８
【補正方法】変更
【補正の内容】
【００２８】
プレイヤード両端部に設けられた２本１対の横材１６，１６は平面視において矩形となる乳幼児収容空間の２本１対の短辺を構成する。プレイヤード両側部に設けられた２本１対の横材１５Ｌ，１５Ｒは乳幼児収容空間の２本１対の長辺を構成する。
【手続補正２】
【補正対象書類名】明細書
【補正対象項目名】００３２
【補正方法】変更
【補正の内容】
【００３２】
留め具１９を緩めて１対のスライド部材１８を摺動可能とすると、横材１５Ｌは１対のスライド部材１８とともに下方へ移動し、図２に二点鎖線で示す位置にされ得る。これにより、プレイヤード１０への乳幼児の出し入れが容易になり、保護者はプレイヤード１０内の乳幼児に簡単に手をのばすことができる。なお保護者からみて横材１５Ｌは４本の横材のうち最も近い位置にあることから、前枠とも称する。
【手続補正３】
【補正対象書類名】明細書
【補正対象項目名】００３５
【補正方法】変更
【補正の内容】
【００３５】
しかしながらプレイヤード１０を使用しないときなど、図２および図５の紙面左側に示されるプレイヤード１０の一端部Ａを持ち上げると、車輪カバー突出部２２ｓが設置床面Ｓから離れるとともに車輪２１が設置床面Ｓに接地する。このため、展開された状態および折り畳み状態のプレイヤード１０を傾け、プレイヤード一端部の柱材１４を床面Ｓから離し、プレイヤード他端部の柱材１４下端の車輪２１のみを接地させることによって容易にプレイヤード１０を運搬することができる。
【手続補正４】
【補正対象書類名】明細書
【補正対象項目名】００３７
【補正方法】変更
【補正の内容】
【００３７】
次に布状部材１２につき説明すると、布状部材１２は数ｍｍ程度の網目のネットや、布地などの素材で形成され、４本の柱部材１４の間の４面にそれぞれ張設される。そして布状部材１２の上端は横材１５Ｌ，１５Ｒ，１６に吊り下げられる。また布状部材１２の下端はクロスパイプ１７と略同じ高さ位置にある。これにより布状部材１２は、クロスパイプ１７よりも上方に設けられる敷板４１を確実に囲繞する。
【手続補正５】
【補正対象書類名】明細書
【補正対象項目名】００３９
【補正方法】変更
【補正の内容】
【００３９】
すなわち図２および図３を参照して、各柱材１４には高さ位置の異なる２個のブラケット３１,３２が取付固定される。ブラケット３１は柱材１４の下端領域にあってクロスパイプ１７よりもやや上方に固定される。ブラケット３２は、柱材１４の中央部に固定される。ブラケット３１，３２は棒部材１３の端部を支持する。硬質の棒部材１３は乳幼児の荷重に加え乳幼児が活発に動く際の衝撃荷重にも耐え得るよう十分な曲げ強度およびせん断強度を有するパイプであり、両端部を除く中央領域が敷板４１下面に沿って延び、両端部がブラケット３１，３２に取り付けられる。これにより棒部材１３は、敷板４１上面に乗せられる乳幼児を安定して支持する。そして乳幼児が敷板の上で活発に活動しても、横材１５Ｌ，１５Ｒ，１６が折れ変形することを防止することができる。
【手続補正６】
【補正対象書類名】明細書
【補正対象項目名】００５２
【補正方法】変更
【補正の内容】
【００５２】
図８に示すように、他方ロック部材２４２は、１対の壁部２０１，２０２の間に介在する。そして、左右方向中央の中心線Ｃ上に合わせて円形断面の貫通孔２４４が形成される。貫通孔２４４は、同様に形成された一方ロック部材２４２の貫通孔２４３と整列し、これら貫通孔２４３，２４４を、共通する１本の連結ピン２７が貫通する。
【手続補正７】
【補正対象書類名】明細書
【補正対象項目名】００６３
【補正方法】変更
【補正の内容】
【００６３】
図１３はロック解除された横材の中央部を取り出して示す平面図であり、中央連結部材２０を断面にして表す。図１４はロック解除された横材の中央部を取り出して示す正面図であり、紙面右側は一部断面で表される。図１５は図１３のＸＶ−ＸＶにおける断面
を示す説明図である。
【手続補正８】
【補正対象書類名】明細書
【補正対象項目名】００８５
【補正方法】変更
【補正の内容】
【００８５】
１０  プレイヤード、１１  フレーム構造体、１２  布状部材、１３  棒部材、１４  柱材、１５Ｌ  横材（前枠）、１５Ｒ，１６  横材、１７  クロスパイプ、１８  スライド部材、１９  留め具、２０  中央連結部材、２０ａ，２０ｂ  長孔、２０ｃ  貫通孔、２０１，２０２，２０３  壁部、２１  車輪、２２  車輪カバー、２３  中央連結部材、２４１  一方ロック部材、２４２  他方ロック部材、２４３，２４４  貫通孔、２４５  一方支持ピン、２４６  他方支持ピン、２５  ボタン、２５１，２５２  脚部、２６１，２６２  連結軸、２７  連結ピン、２８１，２８２  傾斜面、２８３，２８４  平行面、２９１，２９２  係合突起、３０  センターロックカバー、３１，３２  ブラケット、４１  敷板、４２  布製筒状部材、５１  第１壁板、５２  第２壁板、５３  第３壁板、５４  第４壁板、Ｓ  プレイヤード設置床面。
【手続補正書】
【提出日】平成25年12月12日(2013.12.12)
【手続補正１】
【補正対象書類名】明細書
【補正対象項目名】００３１
【補正方法】変更
【補正の内容】
【００３１】
乳幼児の保護者が、リターンスプリング７６の付勢力に抗して留め具１９を引っ張ると、先端部７５が穴１４ｈから抜け出し、係合が解除される。かかるオフ状態でスライド部材１８は摺動不能にされ、柱材１４に沿って摺動することができない。各スライド部材１８，１８の留め具１９をそれぞれ引っ張り１対のスライド部材１８を摺動可能とすると、図６に矢で示すように横材１５Ｌは１対のスライド部材１８とともに下方へ移動する。そして図４に示すように、上下方向中間部の位置にされる。これにより、横材１５Ｌを越えてプレイヤード１０への乳幼児の出し入れが容易になる。また、保護者は横材１５Ｌを越えてプレイヤード１０内の乳幼児に簡単に手をのばすことができる。なお保護者からみて横材１５Ｌは４本の横材のうち最も近い位置にあることから、前枠とも称する。
【手続補正２】
【補正対象書類名】明細書
【補正対象項目名】００３５
【補正方法】変更
【補正の内容】
【００３５】
しかしながらプレイヤード１０を使用しないときなど、図２の紙面左側に示されるプレイヤード１０の一端部Ａを持ち上げると、車輪カバー突出部２２ｓが設置床面Ｓから離れるとともに車輪２１が設置床面Ｓに接地する。このため、展開された状態および折り畳み状態のプレイヤード１０を傾け、プレイヤード一端部の柱材１４を床面Ｓから離し、プレイヤード他端部の柱材１４下端の車輪２１のみを接地させることによって容易にプレイヤード１０を運搬することができる。
【手続補正３】
【補正対象書類名】明細書
【補正対象項目名】００４８
【補正方法】変更
【補正の内容】
【００４８】
筒状部材５６,５７は布製であって、第１壁板５１を敷板４１上に倒すとともに第２壁板５２を敷板４１上に倒すことにより、敷板４１の上面に沿って折り畳まれる。また図１１に示すように第１壁板５１を敷板４１に対して９０度の角度で立ち上げるとともに第２壁板５２を敷板４１に対して９０度の角度で立ち上げることにより、布製の筒状部材５６,５７も立ち上がり、敷板４１の四方が壁板５１，５２および筒状部材５６,５７で包囲される。
【手続補正書】
【提出日】平成25年12月3日(2013.12.3)
【手続補正１】
【補正対象書類名】明細書
【補正対象項目名】００６９
【補正方法】変更
【補正の内容】
【００６９】
図１１は、本発明の適用（改良ともいう）の有無による、先端下側部１０１付近の断面図の相違を示す図である。図１１（ａ）は改良前の図、図１１（ｂ）は改良後の図を示している。また、図１１（ａ）及び図１１（ｂ）において左側の図は先端部１０ａ付近の断面図、右側の図は、先端下側部１０１近傍の拡大図である。図１１（ａ）に示すように、改良前においては、先端上側部１００から先端下側部１０１に至る先端開口部１０ｊのＭ面に対する傾き曲線は、前述のように直線及び、曲率半径の異なる曲線により連続的に構成されている。そして、先端下側部１０１の前後において同じ曲率半径Ｒ２を採用している。この場合、先端下側部１０１においては先端開口部１０ｊのＭ面に対する傾き角はかなり大きくなっており先端下端部１０１におけるノズル本体１０の肉厚は非常に薄くなっている。
【手続補正２】
【補正対象書類名】明細書
【補正対象項目名】００７８
【補正方法】変更
【補正の内容】
【００７８】
図１５は、本実施例におけるノズル部６５への本発明の適用（改良ともいう）の有無による、先端下側部２０１付近の断面図の相違を示す図である。図１５（ａ）は改良前の図、図１５（ｂ）は改良後の図を示している。また、図１５（ａ）及び図１５（ｂ）において左側の図は先端部６０ａ付近の断面図、右側の図は、先端下側部２０１近傍の拡大図である。図１５（ａ）に示すように、改良前においては、先端上側部２００から先端下側部２０１に至る先端開口部６０ｊのＭ面に対する傾き曲線は、前述のように湾曲部２０２及び直線部２０３により構成されている。この場合、先端下側部２０１においては直線部２０３の先端開口部２０ｊのＭ面に対する傾き角は７５度となっており先端下端部２０１におけるノズル本体６０の肉厚は非常に薄くなっている。
【手続補正書】
【提出日】平成25年12月3日(2013.12.3)
【手続補正１】
【補正対象書類名】明細書
【補正対象項目名】００３８
【補正方法】変更
【補正の内容】
【００３８】
挿通部３２の前後方向の中央より先端側の部分には、挿通部３２の上側に向けて突出し、プランジャ３０の素材の弾性により上下に移動可能な爪部３２ａが形成されている。そして、プランジャ３０がノズル本体１０に挿入された際には、ノズル本体１０の上面において厚さ方向に設けられた図３に示す係止孔１０ｅと爪部３２ａが係合し、このことにより初期状態におけるノズル本体１０とプランジャ３０との相対位置が決定される。なお、爪部３２ａと係止孔１０ｅの形成位置は、係合状態において、作用部３１の先端が、ステージ部１２にセットされた眼内レンズ２のレンズ本体２ａの後方に位置し、レンズ本体２ａの後方の支持部２ｂを切欠部３１ｃが下方から支持可能な場所に位置するよう設定されている。
【手続補正書】
【提出日】平成25年11月27日(2013.11.27)
【手続補正１】
【補正対象書類名】明細書
【補正対象項目名】０００７
【補正方法】変更
【補正の内容】
【０００７】
請求項１に係るパチンコ遊技機は前記の課題を解決するために、
弾発された打球が通過可能とされた遊技領域が前面に設定された遊技パネルと、
前記遊技領域の背面を装飾するセル部と、
液晶表示装置と、
遊技状態を制御する主制御基板と、
前記主制御基板から送信されたコマンドに応じて前記液晶表示装置における演出表示態様に関わる制御を行う周辺制御基板と、
を有する遊技盤を備えたパチンコ遊技機において、
前記遊技パネルは、遊技者側となる前面側から見て裏面側が視認可能な透明部材で構成され、
前記セル部は、前記遊技領域の後方において該遊技領域を通して視認可能に配置されると共に、側面を導光入射面とされ、かつ前面を導光出射面とされた透光性を有する導光板と
前記導光板へ光を入射するための光源と、を備え、
前記遊技盤は、前記光源を点灯させるための駆動手段を有し、
前記導光板には、光の散乱によって表出するメッセージが記録されており、
前記周辺制御基板は、前記駆動手段を通じて前記光源を点灯制御する点灯制御手段を備えることを特徴としたものとする［解決手段１］。
［解決手段２］
遊技パネルの前面に設定されかつ弾発された打球が通過可能とされた遊技領域の背面を絵柄によって装飾するセル部を有する遊技盤を備えたパチンコ遊技機において、
前記遊技パネルは、遊技者側となる前面側から見て裏面側が視認可能な透明樹脂製の板部材で構成され、
前記セル部は、
前記遊技領域の後方において該遊技領域に臨ませて配置されると共に、側面を導光入射面とされ、かつ前面を導光出射面とされた透光性を有する合成樹脂製の導光板が前後方向に複数枚層状に重ね合わされてなる積層導光体と、
前記積層導光体の各導光板に対応して設けられると共に、前記各導光板へ光を入射するための各光源と、を備え、
前記遊技盤は、前記各光源を点灯させるための各ドライバ（駆動部）と、
前記各ドライバを通じて前記各光源を切換点灯制御する制御部とを有し、
前記複数枚の導光板のうちの少なくとも１つはメッセージ記録用とされ、光の散乱によって表出するメッセージが記録され、
残る他の各導光板は背景絵柄記録用とされ、光の散乱によって表出する各背景絵柄が記録され、
前記制御部は、
前記背景絵柄記録用の各導光板の各光源を切換点灯制御して前記遊技領域に各背景絵柄を表出させる背景絵柄表示手段と、
予め定めたメッセージ表示条件に従って、前記メッセージ記録用の導光板の光源を点灯し、前記セル部に前記メッセージを表出させるメッセージ表示手段と、を備えた、
ことを特徴としたものにする。
【手続補正２】
【補正対象書類名】明細書
【補正対象項目名】０００８
【補正方法】変更
【補正の内容】
【０００８】
［解決手段３］
［解決手段３］に係るパチンコ遊技機は、［解決手段２］に係るパチンコ遊技機において、前記各背景絵柄は、
共通のキャラクタを表現するものであって、
各導光板における背景絵柄の記録位置は互いに同じ定位置とされると共に、
後方に位置した導光板から前方に位置する導光板に向って、記録されている各絵柄の形状が漸次拡大するような絵柄とされている、ことを特徴とするものである。
［解決手段４］
［解決手段４］に係るパチンコ遊技機は、［解決手段３］に係るパチンコ遊技機において、
前記制御部が、
前記後方に位置した導光板に対応する光源から前記前方に位置する導光板に対応する光源までを順次点灯し、または、前記前方に位置した導光板に対応する光源から前記後方に位置する導光板に対応する光源までを順次点灯し、各導光板の各背景絵柄が順次表出される、ことを特徴とするものである。
【手続補正３】
【補正対象書類名】特許請求の範囲
【補正対象項目名】全文
【補正方法】変更
【補正の内容】
【特許請求の範囲】
【請求項１】
弾発された打球が通過可能とされた遊技領域が前面に設定された遊技パネルと、
前記遊技領域の背面を装飾するセル部と、
液晶表示装置と、
遊技状態を制御する主制御基板と、
前記主制御基板から送信されたコマンドに応じて前記液晶表示装置における演出表示態様に関わる制御を行う周辺制御基板と、
を有する遊技盤を備えたパチンコ遊技機において、
前記遊技パネルは、遊技者側となる前面側から見て裏面側が視認可能な透明部材で構成され、
前記セル部は、前記遊技領域の後方において該遊技領域を通して視認可能に配置されると共に、側面を導光入射面とされ、かつ前面を導光出射面とされた透光性を有する導光板と
前記導光板へ光を入射するための光源と、を備え、
前記遊技盤は、前記光源を点灯させるための駆動手段を有し、
前記導光板には、光の散乱によって表出するメッセージが記録されており、
前記周辺制御基板は、前記駆動手段を通じて前記光源を点灯制御する点灯制御手段を備えることを特徴としたパチンコ遊技機。
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
システム部と近接無線通信部とを備える通信装置であって、
前記システム部は、
前記近接無線通信部を介して外部のリーダライタ機器から前記通信装置の動作設定情報を受け付ける動作設定情報受付部と、
前記動作設計情報受付部で受け付けた前記動作設定情報に基づいて前記通信装置を制御するシステム制御部と、
前記システム部と前記近接無線通信部とへ電力を供給する第１電源部とを備え、
前記近接無線通信部は、
前記リーダライタ機器から発せられる電波を受信するアンテナ部と、
前記アンテナ部を介して、前記リーダライタ機器と近接無線通信を行い、前記リーダライタ機器から前記動作設定情報を受信する通信制御部と、
前記通信装置を識別する識別情報を記憶し、前記リーダライタ機器から読み出し可能な第２記憶部と、
前記アンテナ部で受信した前記リーダライタ機器からの電波を整流することにより、電力を生成する第２電源部と、
前記第１電源部と前記第２電源部との一方を選択し、選択した電源部から前記近接無線通信部へ電力を供給する電源切替部とを備え、
前記システム制御部は、
前記動作設定情報受付部によって前記リーダライタ機器から出力される前記動作設定情報を受け付けたとき、前記電源切替部により前記第１電源部が選択されている状態で、前記動作設定情報受付部で受け付けた前記動作設定情報に基づいて前記通信装置を制御する
通信装置。
【請求項２】
前記電源切替部は、前記第１電源が稼動している場合に、前記第１電源を選択して前記近接無線通信部へ電力を供給する
請求項１記載の通信装置。
【請求項３】
前記電源切替部は、前記リーダライタ機器からの要求に応じて前記第２記憶部がアクセスされている間は、前記近接無線通信部への供給する電源の選択を切り替えない
請求項２記載の通信装置。
【請求項４】
前記電源切替部は、前記近接無線通信部が前記リーダライタ機器から前記動作設定情報を受信したとき、前記第１電源部を選択する
請求項１〜３のいずれか１項に記載の通信装置。
【請求項５】
前記電源切替部は、
前記リーダライタ機器から出力される前記動作設定情報を受け付けたとき、前記電源切替部により前記第２電源が選択されている状態の場合、前記第１電源部が選択される状態へ電源を切り替える
請求項１記載の通信装置。
【請求項６】
前記電源切替部は、
前記リーダライタ機器から出力される前記動作設定情報を受け付けたとき、前記電源切替部により前記第２電源が選択されている状態の場合、前記第１電源部が選択される状態へ電源を切り替え、前記第１電源部への切換が行えない場合は、前記リーダライタ機器へエラーを出力する
請求項５記載の通信装置。
【請求項７】
システム部と近接無線通信部とを備える通信装置における通信方法であって、
前記システム部は、
前記システム部と前記近接無線通信部とへ電力を供給する第１電源部を備え、
前記近接無線通信部は、
外部のリーダライタ機器から発せられる電波を受信するアンテナ部と、
前記アンテナ部を介して、前記リーダライタ機器と近接無線通信を行う通信制御部と、
前記通信装置を識別する識別情報を記憶し、前記リーダライタ機器から読み出し可能な第２記憶部と、
前記アンテナ部で受信した前記リーダライタ機器からの電波を整流することにより、電力を生成する第２電源部とを備え、
前記通信方法は、
前記近接無線通信部を介して前記リーダライタ機器から前記通信装置の動作設定情報を受け付けるステップと、
前記第１電源部と前記第２電源部との一方を選択し、選択した電源部から前記近接無線通信部へ電力を供給するステップと、
前記リーダライタ機器から出力される前記動作設定情報を受け付けたとき、前記第１電源部が選択されている状態で、前記動作設定情報に基づいて前記通信装置を制御するステップとを含む
通信方法。
【請求項８】
請求項７記載の通信方法をコンピュータに実行させるための
プログラム。
【手続補正２】
【補正対象書類名】明細書
【補正対象項目名】発明の名称
【補正方法】変更
【補正の内容】
【発明の名称】通信装置及び通信方法